(57)【要約】【課題】  ドラム洗濯機のドア、ドラム洗濯機のヘアーラインを持つドアの製造方法及びそのドアに使用されるヘアーラインシートの製造方法を提供する。【解決手段】  ドラム洗濯機の前面に回動可能に設けられるドアフレームと、該ドアフレームの開放された中央穴に設置されるドアガラスと、を備え、このドアフレームの前面には多重リング形成に形成されたヘアーラインシートを備える。これにより、ドアフレームの強度が補強され、ドアの表面が深刻に損傷または汚染される場合など、必要に応じてヘアーラインシートのみを簡便に入れ替えるだけで済み、かつ、ドアの全体的な美観が向上する利点が得られる。【選択図】      図４
2005193029.tif 000002
【特許請求の範囲】
【請求項１】
ドラム洗濯機の前面に回動可能に設置されたドアフレームと、該ドアフレームの開放された中央穴に設置されたドアガラスと、備え、
前記ドアフレームの前面には、多重リング形状のヘアーライン部が備えられることを特徴とするドラム洗濯機のドア。
【請求項２】
前記ドアフレームの前面には、リング形状の装着溝が形成され、該装着溝には、前記ヘアーライン部が外表面に形成されたヘアーラインシートが装着されることを特徴とする請求項１に記載のドラム洗濯機のドア。
【請求項３】
前記ヘアーラインシートは、ステンレス鋼材質からなることを特徴とする請求項２に記載のドラム洗濯機のドア。
【請求項４】
前記ヘアーラインシートは、前記装着溝に圧入方式で装着されることを特徴とする請求項２に記載のドラム洗濯機のドア。
【請求項５】
前記ヘアーラインシートは、前記装着溝の底面に接着部材によって固定されることを特徴とする請求項２に記載のドラム洗濯機のドア。
【請求項６】
前記ヘアーラインシートは、前記装着溝に締付け部材によって固定されることを特徴とする請求項２に記載のドラム洗濯機のドア。
【請求項７】
前記締付け部材は、前記ドアフレームとヘアーラインシートのいずれか一方に形成された係止突起と、残りの一方に形成された係合穴と、から構成されることを特徴とする請求項６に記載のドラム洗濯機のドア。
【請求項８】
前記係止突起は、前記ドアフレームの装着溝の内側面と外側面にそれぞれ突設され、前記係合穴は、前記装着溝の内側面と外側面に密着されるように折り曲げられた前記ヘアーラインシートの内周縁部と外周縁部にそれぞれ形成されることを特徴とする請求項７に記載のドラム洗濯機のドア。
【請求項９】
前記係止突起は、前記装着溝にヘアーラインシートが容易にはめ込まれるように、前記ヘアーラインシートがはめ込まれる方向に傾斜面が形成されたことを特徴とする請求項８に記載のドラム洗濯機のドア。
【請求項１０】
前記ヘアーライン部は、前記ドアフレームの表面に直接形成されることを特徴とする請求項１に記載のドラム洗濯機のドア。
【請求項１１】
前記ドアフレームは、前記ヘアーライン部が表面に形成されるように、非金属材質で射出成形され、前記ヘアーライン部の形成されたドアフレームの表面には、金属材質でメッキが施されることを特徴とする請求項１０に記載のドラム洗濯機のドア。
【請求項１２】
前記ドアフレームは、射出成形によってプラスチック材質から形成され、前記ヘアーライン部の形成されたドアフレームの表面にはクロムメッキ層が形成されることを特徴とする請求項１１に記載のドラム洗濯機のドア。
【請求項１３】
前記ヘアーライン部は、前記ドアフレームの前面をスクラッチングすることによって形成されることを特徴とする請求項１０に記載のドラム洗濯機のドア。
【請求項１４】
前記ドアフレームの前面は、金属材質でメッキされ、前記ヘアーライン部は、前記金属メッキ層に形成されることを特徴とする請求項１３に記載のドラム洗濯機のドア。
【請求項１５】
前記ヘアーライン部の形成された金属メッキ層の表面には、保護被膜がコーティングされることを特徴とする請求項１４に記載のドラム洗濯機のドア。
【請求項１６】
前記保護被膜は、様々な色を有する透明材質からなることを特徴とする請求項１５に記載のドラム洗濯機のドア。
【請求項１７】
ドアフレームの前面にヘアーラインが形成されるように、前記ドアフレームのための射出金型にエッチング処理でヘアーラインを形成する質感形成段階と、
前記ヘアーラインの形成された射出金型を使って、前記ドアフレームをプラスチック材質で射出成形する射出段階と、
前記ドアフレームのヘアーラインが形成された外面に、クロム材質でメッキを施すメッキ段階と、
を備えることを特徴とするドラム洗濯機のヘアーラインを持つドアの製造方法。
【請求項１８】
前記質感形成段階では、前記射出金型のキャビティにフォトエッチング処理により多重リング形状のヘアーラインが形成されることを特徴とする請求項１７に記載のドラム洗濯機のヘアーラインを持つドアの製造方法。
【請求項１９】
ステンレス鋼板から複数個のヘアーラインシートピースを切り取る切取段階と、
前記切取段階で切り取られた複数個のヘアーラインシートピースを溶接して、リング形状のヘアーラインシートを形成する溶接段階と、
前記溶接段階で形成されたヘアーラインシートの溶接箇所を仕上げする仕上げ段階と、
前記仕上げ段階で仕上げしたヘアーラインシートの表面に、ヘアーラインを形成する質感形成段階と、
を備えることを特徴とする、ドラム洗濯機のドアに使用されるヘアーラインシートの製造方法。
【請求項２０】
前記ヘアーラインシートピースは、前記ヘアーラインシートを等角度で分割した円弧形状を有するように、前記ステンレス鋼板から切り取られることを特徴とする請求項１９に記載のドラム洗濯機のドアに使用されるヘアーラインシートの製造方法。
【発明の詳細な説明】
【技術分野】
【０００１】
本発明は、ドラム洗濯機のドアに関し、特に、ドアの前面にヘアーラインを形成することによって、強度補強及び美観向上が図られるドラム洗濯機のドア、ドラム洗濯機のヘアーラインを持つドアの製造方法、及びこのドアに使用されるヘアーラインシートの製造方法に関する。
【背景技術】
【０００２】
一般に、洗濯機は、電気を利用した機械的作動によって、衣類についた埃や汚れを除去する機械のことをいう。なかでも、ドラム洗濯機は、水平に設置されるドラム内に、洗剤と、洗濯水とともに投入された洗濯物を、モーターの駆動力により回転するドラムとの摩擦を用いて洗濯を遂行するものであり、洗濯物を殆ど傷めなく、かつ、洗濯物がからまないながらも、タタキ洗い／モミ洗いの洗濯効果が得られる。
【０００３】
図１は、従来の技術によるドラム洗濯機を示す斜視図であり、図２は、従来の技術によるドラム洗濯機を示す側断面図であり、図３は、図２のＡ−Ａ線に沿った断面図である。
【０００４】
従来のドラム洗濯機は、図１及び図２に示すように、洗濯機の外観を形成するキャビネット２と、キャビネット２の内側にバネ３によって垂設されるタブ４と、タブ４の内側に設置され、且つ洗濯物を収容するドラム５と、ドラム５の内側面に取り付けられ、且つ一定の高さで洗濯物が重力により落下するように洗濯物を持ち上げるリフター６と、タブ４の背面部に装着されて、且つ動力を生じさせるモーター７と、キャビネット２の前方に装着され、且つ洗濯物の投入及び取出が可能なように中央に洗濯物出入口２４が形成されたキャビネットカバー２２と、洗濯物出入口を開閉自在にキャビネットカバー２２に取り付けられ、且つこの洗濯物出入口からの洗濯物離脱を防止するドア２０と、を備えてなる。
【０００５】
ここで、タブ４とドア２０との間には、ドラム５の回転による衝撃を和らげると同時に、洗濯水が外部にあふれないようにするガスケット８が設置される。
【０００６】
そして、洗濯機の上部と下部にはそれぞれ、洗濯機の上面と下面を形成するトッププレート９とベース１０が装着され、タブ４の下側には、洗濯水を循環させたり排出させたりする排水ポンプ１１及び排水ホース１２が設置され、トッププレート９の下側には、タブ４内部に洗濯水及び洗剤を供給する給水ホース１３、給水弁１４、及び洗剤ボックス１５が組み込まれる。
【０００７】
また、従来の技術によるドラム洗濯機のドア２０は、図３に示すように、キャビネットカバー２２に回動可能に設けられたリング形状のドアフレーム３０と、ドアフレーム３０とキャビネットカバー２２に両端がそれぞれ連結され、このドアフレーム３０を回転可能に支持するドアヒンジ４０と、ドアフレーム３０の開放された中央穴３０ａに設置され、且つドラム５の内部状態を目視可能にするドアガラス５０と、を備える。
【０００８】
ドアフレーム３０は、たいてい射出成形によってプラスチック材質から形成され、且つ洗濯機の前方に配置され、一側にグリップ３６が形成された前方ドアフレーム３２と、該前方ドアフレーム３２の背面に装着され、且つドアヒンジ４０の一端が連結される後方ドアフレーム３４と、から構成される。この後方ドアフレーム３４には一側にフック３７が突設され、キャビネットカバー２２にはフック３７と噛み合うフック穴３８が形成される。
前記ドアガラス５０は、ドアフレーム３０の中央穴３０ａがシールされるように、周縁部が前方ドアフレーム３２と後方ドアフレーム３４との間に介設される。
【０００９】
一方、最近では、製品の性能及び耐久性のほかにも、デザインが製品の商品性を決定付ける重要な要素とされているところ、消費者の美的欲求を満たすべく、新製品の開発に際して外形、色、及び質感などにも大きく比重をおいている傾向にある。
【００１０】
しかしながら、従来の技術によるドラム洗濯機のドアは、射出成形によってプラスチック材質から形成されるドアフレーム３０を備えるため、消費者に美的に高級な感じを与えることができず、且つ製品の商品性に劣るという問題があった。
【００１１】
また、ドラム洗濯機は、大型化する方向にあり、これに対応して、洗濯物出入口２４、ドア２０、及びドアガラス５０も大きくなりつつある。このように大型化しつつあるドアガラス５０は荷重に耐えうるように、ドアガラス５０が十分な強度を有しなければならないが、従来のドアフレーム３０は、射出成形によってプラスチック材質から形成されているため、強度確保には限界があった。
【００１２】
この種の問題点を改善するためには、ドアフレーム３０を、高級な感じ及び優れた強度を提供しうる金属性材質で形成するといいが、この場合には、材料費が上昇し、かつ、質感改善のための表面加工が難しいという問題が生じる。
【発明の開示】
【発明が解決しようとする課題】
【００１３】
上記事情に鑑みて、本発明の目的は、ドアのドアフレーム前面にヘアーライン部を形成することによって、ドアフレームの強度が補強され、洗濯物を取り出すときに飛び散った水が、ヘアーライン部に留まるため、ドラム洗濯機前面の汚れが防止され、ドアの全体的な美感が向上するドラム洗濯機のドア、ヘアーラインを持つドラム洗濯機のドアの製造方法、及びこのドアに使用されるヘアーラインシートの製造方法を提供することにある。
【課題を解決するための手段】
【００１４】
上記の目的を達成するため、本発明のドラム洗濯機のドアは、ドラム洗濯機の前面に回動可能に設置されたドアフレームと、該ドアフレームの開放された中央穴に設置されたドアガラスと、備え、前記ドアフレームの前面には、多重リング形状のヘアーライン部が備えられることを特徴とする。
【００１５】
本発明の一の実施形態によれば、前記ドアフレームの前面には、リング形状の装着溝が形成され、該装着溝には、前記ヘアーライン部が外表面に形成されたヘアーラインシートが装着される。
【００１６】
前記ヘアーラインシートは、ステンレス鋼材質からなる。
前記ヘアーラインシートは、前記装着溝に圧入方式で装着される。
前記ヘアーラインシートは、前記装着溝の底面に接着部材によって固定されてもよく、または前記装着溝に締付け部材によって固定されてもいい。
【００１７】
ここで、前記締付け部材は、前記ドアフレームとヘアーラインシートのいずれか一方に形成された係止突起と、残りの一方に形成された係合穴と、から構成される。
【００１８】
前記係止突起は、前記ドアフレームの装着溝の内側面と外側面にそれぞれ突設され、前記係合穴は、前記装着溝の内側面と外側面に密着されるように折り曲げられた前記ヘアーラインシートの内周縁部と外周縁部にそれぞれ形成される。
【００１９】
前記係止突起は、前記装着溝にヘアーラインシートが容易にはめ込まれるように、前記ヘアーラインシートがはめ込まれる方向に傾斜面が形成される。
【００２０】
本発明の他の実施形態によれば、前記ヘアーライン部は、前記ドアフレームの表面に直接形成される。
【００２１】
前記ドアフレームは、前記ヘアーライン部が表面に形成されるように、非金属材質で射出成形され、前記ヘアーライン部の形成されたドアフレームの表面には、金属材質でメッキが施される。
【００２２】
ここて、前記ドアフレームは、射出成形によってプラスチック材質から形成され、前記ヘアーライン部の形成されたドアフレームの表面にはクロムメッキ層が形成される。
【００２３】
または、前記ヘアーライン部は、前記ドアフレームの前面をスクラッチングすることによって形成される。
【００２４】
また、前記ドアフレームの前面は、金属材質でメッキされ、前記ヘアーライン部は、前記金属メッキ層に形成される。
【００２５】
ここて、前記ヘアーライン部の形成された金属メッキ層の表面には、保護被膜がコーティングされる。
【００２６】
前記保護被膜は、様々な色を有する透明材質からなる。
【００２７】
また、上記の目的を達成するために、本発明によるドラム洗濯機のヘアーラインを持つドアの製造方法は、ドアフレームの前面にヘアーラインが形成されるように、前記ドアフレームのための射出金型にエッチング処理でヘアーラインを形成する質感形成段階と、前記ヘアーラインの形成された射出金型を使って、前記ドアフレームをプラスチック材質で射出成形する射出段階と、前記ドアフレームのヘアーラインが形成された外面に、クロム材質でメッキを施すメッキ段階と、を備えることを特徴とする。
【００２８】
前記質感形成段階では、前記射出金型のキャビティにフォトエッチング処理により多重リング形状のヘアーラインが形成される。
【００２９】
また、上記の目的を達成するために、本発明によるドラム洗濯機のドアに使用されるヘアーラインシートの製造方法は、ステンレス鋼板から複数個のヘアーラインシートピースを切り取る切取段階と、前記切取段階で切り取られた複数個のヘアーラインシートピースを溶接して、リング形状のヘアーラインシートを形成する溶接段階と、前記溶接段階で形成されたヘアーラインシートの溶接箇所を仕上げする仕上げ段階と、前記仕上げ段階で仕上げしたヘアーラインシートの表面に、ヘアーラインを形成する質感形成段階と、を備えることを特徴とする。
【００３０】
前記ヘアーラインシートピースは、前記ヘアーラインシートを等角度で分割した円弧形状を有するように、前記ステンレス鋼板から切り取られる。
【発明の効果】
【００３１】
本発明によるドラム洗濯機のドア及びその製造方法によれば、下記の利点が得られる。
ドアのドアフレーム前面に多重リング形状にヘアーライン部が形成されるため、ドアフレームの強度が補強され、かつ、ドアの美観が向上する。
【００３２】
ドアフレームの強度が補強されるため、ドアの大型化に伴って荷重の増加したドアガラスを、より安定的に支持することが可能になる。
【００３３】
また、洗濯物を取出すときにドアの前面に飛び散る水が、ヘアーライン部内に留まるため、ドアの外側にまで水が飛び散ってドラム洗濯機の前面が汚れることを防止することが可能になる。
【００３４】
また、前記ヘアーライン部により光が屈折または吸収されるため、ドアフレームの表面に形成された金属メッキ層により目のくらむ現象(dazzling phenomenon)が抑えられ、使用者の不便を低減することが可能になる。
【００３５】
また、ドアは、ヘアーライン部により美観が向上するため、製品のイメージが高級化して消費者の美的欲求を満たすことができ、結果としてドラム洗濯機の商品性が向上する。
【００３６】
また、本発明の第１及び第２の実施形態に従うドラム洗濯機のドア及びその製造方法は、ステンレス鋼材質のヘアーラインシートが、ドアフレームの前面に形成された装着溝に固定されるため、ヘアーラインシートは、単にドアフレームの装着溝にはめ込まれる動作だけでドアフレームの前面に簡便に装着され、したがって、ドアの表面が損傷または汚染された場合には、ヘアーラインシートのみを簡便に入れ替えるだけで済む、という利点が得られる。
【００３７】
また、本発明の第１及び第２の実施形態に従うドラム洗濯機のドアに使用されるヘアーラインシートの製造方法は、ステンレス鋼板から複数個のヘアーラインシートピースを切り取った後に、これらヘアーラインシートピースを溶接することでヘアーラインシートを形成し、このヘアーラインシートの溶接箇所を仕上げ加工した後にその前面に多重リング形状のヘアーラインを形成するため、ステンレス鋼板からリング形状の完成したヘアーラインシートを切り取り、その前面にヘアーラインを形成する方法に比べて、ステンレス鋼板の余分の損失が抑えられ、したがって、低コスト及び製品単価の削減が図られ、価格競争力が向上する利点が得られる。
【００３８】
また、本発明の第３の実施形態に従うドラム洗濯機のドア及びその製造方法は、フォトエッチング技術を用いて、ヘアーラインの形成された射出金型から、前面にヘアーライン部の形成されたプラスチック材質のドアフレームを射出成形した後に、このドアフレームの外面をクロム材質でメッキするため、ヘアーライン部の形成されたドアフレームの製造工程が簡素化し、製品の生産性が増大する利点が得られる。
【００３９】
また、本発明の第４の実施形態に従うドラム洗濯機のドア及びその製造方法は、クロム材質でメッキされたドアの表面をスクラッチングし、このドアの前面にヘアーラインを形成した後に、透明な保護被膜でコーティングするため、高級な質感を与えるヘアーライン部が、ドラム洗濯機のドア前面に簡便に形成され、且つスクラッチングされたドアのヘアーライン部に起こる腐食も、保護被膜によって有効に防止することが可能になる。
【００４０】
また、この保護被膜は、外部衝撃によるヘアーラインの損傷を防止すると同時に、鋭いヘアーラインに消費者が傷つくことを防止し、また、保護被膜の光沢及び色は、使用者の好みによって調節可能であるため、ドラム洗濯機の外観をより多様に演出できる利点が得られる。
【発明を実施するための最良の形態】
【００４１】
以下、本発明に従うドラム洗濯機のドア、ドラム洗濯機のヘアーラインを持つドアの製造方法、及びこのドアに使用されるヘアーラインシートの製造方法の実施形態を、添付図面を参照しつつ詳細に説明する。
【００４２】
図４（ａ）、（ｂ）は、本発明の第１の実施形態に従うドラム洗濯機のドアを示す断面図であり、図５は、本発明の第１の実施形態に従うドラム洗濯機のドアを示す斜視図であり、図６（ａ）、（ｂ）、（ｃ）は、本発明の第１の実施形態に従うドラム洗濯機のドアを示す分解斜視図である。
【００４３】
本発明の第１の実施形態に従うドラム洗濯機のドアは、図４乃至図６に示すように、洗濯物出入口６４が形成されたキャビネットカバー６２に回動可能に設置されたリング形状のドアフレーム７０と、ドアフレーム７０とキャビネットカバー６２に両端がそれぞれ連結されて、且つドアフレーム７０を回転可能に支持するドアヒンジ８０と、ドアフレーム７０の開放された中央穴７０ａに設置されて、且つドラムの内部状況を目視可能にするドアガラス９０と、ドアフレーム７０の前面に装着されて、且つ前記ドア６０に高級な質感を与えるヘアーラインシート１００と、を備えてなる。
【００４４】
ここで、ドアフレーム７０は、前方に配置され、且つ一方の側にグリップ７６が形成された前方ドアフレーム７２と、前方ドアフレーム７２の背面に装着され、且つドアヒンジ８０の一端が連結された後方ドアフレーム７４と、から構成される。
【００４５】
後方ドアフレーム７４は、背面の一方の側にフック７７が突設され、キャビネットカバー６２は、フック７７と対応する箇所にフック穴７８が形成され、且つこのフック７７がフック穴７８に結合されることで、洗濯物出入口６４を閉じるドア６０が取り付けられる。
【００４６】
これら前方ドアフレーム７２と後方ドアフレーム７４は、軽く、かつ、射出性能に優れたプラスチック材質から形成される。
【００４７】
ドアガラス９０は、周縁部が前方ドアフレーム７２と後方ドアフレーム７４との間に介在され、前方ドアフレーム７２と後方ドアフレーム７４とが結合されることによって、ドアフレーム７０の開口された中央穴７０ａをシールすることになる。
【００４８】
ヘアーラインシート１００は、前面に多重リング形状のヘアラインＨが加工された後に、ドアフレーム７０の前面に形成された装着溝９２にはめ込まれる。
【００４９】
前方ドアフレーム７２は、前面にヘアーラインシート１００が結合される装着溝９２が形成され、この装着溝９２は、前方ドアフレーム７２に沿ってリング形状に形成される。
【００５０】
ヘアーラインシート１００は、薄いリング形状の板体であり、ステンレス鋼からなる。該ヘアーラインシート１００は、高級な質感を出すように、前面に形成されたリング形状の複数のヘアーラインＨを有する。
【００５１】
ここで、ヘアーラインシート１００は、ステンレス鋼板から完全なリング形状として切り取られてもよく、あるいは、複数の分割された部分として切り取られ、これらを結合することによって形成してもいい。
【００５２】
ヘアーラインＨは、ヘアーラインシート１００の前面を鋭い物体でスクラッチング(scratching)して得られる極めて細い線であって、リング形状のヘアーラインシート１００の前面には、複数個のヘアーラインＨが異なる半径をもって形成される。
【００５３】
したがって、ドア６０は、金属性材質からなるヘアーラインシート１００によって強度が補強されるだけでなく、ヘアーラインシート１００のヘアーラインＨによって高級な質感も持つようになる。もちろん、前方ドアフレーム７２は、ドア６０の美観向上のために、ヘアーラインシート１００と類似する材質で表面をメッキすることが好ましい。
【００５４】
また、ヘアーラインシート１００は、前方ドアフレーム７２の装着溝９２に圧入される。このため、ヘアーラインシート１００は、装着溝９２に圧入可能な寸法に作製される。
また、ヘアーラインシート１００は、前方ドアフレーム７２の装着溝９２に接着部材９４により固定される。
【００５５】
この接着部材９４の代表例としては、接着剤または両面テープがあり、装着溝９２の底面にヘアーラインシート１００が圧入される前に配置されて、装着溝９２にはめ込まれるヘアーラインシート１００を固着させる。
【００５６】
次に、本発明の第１の実施形態に従うドラム洗濯機のヘアーラインを持つドアの製造方法について説明する。
【００５７】
図７は、本発明の第１の実施形態に従うドラム洗濯機のドアに使用されるヘアーラインシートの製造方法を示すブロック図であり、図８（ａ）、（ｂ）、（ｃ）、（ｄ）は、本発明の第１の実施形態に従うドラム洗濯機のドアに使用されるヘアーラインシートの製造方法を図式的に示す図である。
【００５８】
まず、ステンレス鋼板１０２からリング形状のヘアーラインシート１００が切り取られた後に、前面に異なる半径を持つ複数個のヘアーラインＨが形成されるように、鋭い工具で前面がスクラッチング加工される。
【００５９】
そして、ヘアーラインシート１００は、前方ドアフレーム７２の装着溝９２に圧入されうるような寸法に加工され、ドアフレーム７０の装着溝９２の底面には両面テープ９４が配置される。
【００６０】
すなわち、ヘアーラインシート１００は、装着溝９２にはめ込まれながら、圧入固定されると同時に、ヘアーラインシート１００の背面は、両面テープ９４により装着溝９２の底面に固着される。
【００６１】
したがって、ヘアーラインシート１００は、単にドアフレーム７０の装着溝９２にはめ込む動作だけで簡便に設置される。
【００６２】
上記のようにドアフレーム７０の装着溝９２にヘアーラインシート１００を固着すると、ステンレス鋼材質のヘアーラインシート１００によってドアフレーム７０の強度が補強される。
【００６３】
この結果、最近のドラム洗濯機の大型化傾向に伴い、ドア６０の大きさが大きくなり、ドアガラス９０の荷重が増加しても、ドアフレーム７０の強度が補強されるため、ドアガラス９０がより安定的に支持される。
【００６４】
一方、ドラム洗濯機のドアに使用されるヘアーラインシート１００の製造方法をより具体的に説明すると、図７及び図８（ａ）、（ｂ）、（ｃ）、（ｄ）に示すように、ヘアーラインシートの切取段階では、ヘアーラインシート１００を製造すべく、ステンレス鋼板１０２から複数個のヘアーラインシートピース(decoration sheet piece)１００ａを切り取る(Ｓ１)。
【００６５】
ここで、ステンレス鋼板１０２は、所定の面積を有する平板部材であり、プレス加工によってヘアーラインシートピース１００ａが切り取られる。
【００６６】
また、各ヘアーラインシートピース１００ａは、等角度の円弧形状で形成され、所定個数のヘアーラインシートピース１００ａを結合することで、完全なリング形状のヘアーラインシート１００が形成される。
【００６７】
すなわち、ヘアーラインシートピース１００ａは、ヘアーラインシート１００を円周方向に沿って等角度で分割したものであり、所定角度の同一の円弧形状を有するように形成される。
【００６８】
溶接段階では、切取段階で切り取られた複数のヘアーラインシートピース１００ａが溶接により相互に連結され、これによって、リング形状のヘアーラインシート１００が形成される(Ｓ２)。
【００６９】
このときに、複数個のヘアーラインシートピース１００ａは、溶接により両端が相互に連結される。
【００７０】
仕上げ段階(Ｓ３)では、前記溶接段階で完成したヘアーラインシート１００の溶接箇所を研削加工して仕上げする。
【００７１】
これによって、ヘアーラインシート１００の前面は平坦化し、溶接によって変色した部位もヘアーラインシート１００の前面から除去されて元の色に戻る。
【００７２】
ヘアーラインの質感形成段階では、上記の仕上げ段階で仕上げしたヘアーラインシート１００の前面に、ヘアーラインＨを形成する(Ｓ４)。
【００７３】
すなわち、前方ドアフレーム７２を回転型ジグ(図示せず)に設置した後に、スクラッチング加工用工具を前方ドアフレーム７２の前面に一定圧で密着した状態で、回転型ジグと工具のいずれかを回転すると、この工具によって前方ドアフレーム７２の前面がスクラッチングされ、ヘアーラインシート１００の前面にはリング形状の複数個のヘアーラインＨが形成される。
【００７４】
したがって、上記の方法でヘアーラインシート１００を製造すると、ステンレス鋼板１０２から完全なリング形状のヘアーラインシート１００が切り取られる方法に比べて、ステンレス鋼板１０２の余分の材料損失が抑えられる。
【００７５】
図９（ａ）、（ｂ）は、本発明の第２の実施形態に従うドラム洗濯機のドアの要部を示す断面図であり、図１０（ａ）、（ｂ）は、本発明の第２の実施形態に従うドラム洗濯機のドアを一部切り取って示す分解斜視図であり、図１１Ａは、本発明の第２の実施形態に従うヘアーラインシートの折り曲げられる前の状態を示す平面図であり、図１１Ｂは、本発明の第２の実施形態に従うヘアーラインシートが分解されたドアの上面を示す平面図である。
【００７６】
ちなみに、第１の実施形態と同一の構成要素には同一の参照番号を共通使用し、その詳細な説明は省略するものとする。
【００７７】
本発明の第２の実施形態に従うドラム洗濯機のドアは、図９乃至図１１Ｂに示すように、前面にヘアーラインＨが形成され、ドアフレーム７０の前面に形成された装着溝９２に締付け部材１１２により固定されるヘアーラインシート１１０を備える以外は、第１の実施形態と同様に構成される。
【００７８】
締付け部材１１２は、装着溝９２に形成された係止突起１１４と、ヘアーラインシート１１０に形成されて、係止突起１１４が係合される係合穴１１６と、からなる。
【００７９】
係合穴１１６は、ヘアーラインシート１１０の外周縁部及び内周縁部１１０ａ、１１０ｂにそれぞれ形成され、ヘアーラインシート１１０の外周縁部１１０ａと内周縁部１１０ｂは、装着溝９２の内側面と外側面にそれぞれ密着されるように、下方に折り曲げられる。
【００８０】
したがって、装着溝９２にヘアーラインシート１１０がはめ込まれると、係合穴１１６に係止突起１１４が係合され、ヘアーラインシート１１０が固定される。
【００８１】
このときに、ヘアーラインシート１１０は、‘Ｕ’字形状の断面を有し、装着溝９２は、内部にヘアーラインシート１１０と対向するように凹凸が形成され、‘Ｕ’字形状の断面を有することになる。これによって、ヘアーラインシート１１０は、装着溝９２の内部により安定的に設置される。
【００８２】
係止突起１１４は、ヘアーラインシート１１０の挿入方向に傾斜面が形成されて、ヘアーラインシート１１０が装着溝９２に容易に挿入される一方で、ヘアーラインシート１１０の脱去方向には傾斜面が形成されないため、ヘアーラインシート１１０が装着溝９２から任意に離脱するのを防止するようになっている。
【００８３】
係合穴１１６と係止突起１１４は、相互に対応するように形成され、ヘアーラインシート１１０と装着溝９２の円周方向に沿って複数個が所定間隔だけ離れて形成される。
【００８４】
上記のように構成された本発明の第２の実施形態に従うドラム洗濯機のヘアーラインを持つドアの製造方法について説明すると、下記の通りである。
【００８５】
まず、リング形状のヘアーラインシート１１０が、ステンレス鋼板１０２から所定の大きさで切り取られた後に、前面に異なる半径を持つ複数個のヘアーラインＨが形成されるように鋭い工具で前面がスクラッチング加工される。
【００８６】
また、ヘアーラインシート１１０は、内周縁部１１０ｂと外周縁部１１０ａが延在するように形成され、この内周縁部１１０ｂ及び外周縁部１１０ａには、複数個の係合穴１１６が円周方向に沿って相互に離れて形成される。
【００８７】
このように係合穴１１６が形成されたヘアーラインシート１１０の両周縁部１１０ａ、１１０ｂは、ドアフレーム７０の装着溝９２にヘアーラインシート１１０が装着されるときに、この装着溝９２の内側面及び外側面に密着されるように、ヘアーラインＨが形成されない下方に折り曲げられる。
【００８８】
すなわち、ドアフレーム７０の装着溝９２にヘアーラインシート１１０がはめ込まれると、ヘアーラインシート１１０の折り曲げられた部位は、装着溝９２の両側面に密着され、これによって、係合穴１１６には、装着溝９２に形成された係止突起１１４が係合される。
【００８９】
このときに、係止突起１１４は、ヘアーラインシート１１０の挿入方向に傾斜面が形成されてヘアーラインシート１１０が容易にはめ込まれる一方で、ヘアーラインシート１１０の脱去方向には傾斜面が形成されないため、ヘアーラインシート１１０の任意離脱が防止される。
【００９０】
したがって、ヘアーラインシート１１０は、ヘアーラインＨ及び係合穴１１６を形成した後に、両周縁部１１０ａ、１１０ｂを折り曲げ、この状態でドアフレーム７０の装着溝９２にはめ込む方式で簡便に装着される。
【００９１】
それ以外のドラム洗濯機のヘアーラインを持つドアの製造方法は、第１の実施形態と同様なので、具体的な説明は省略するものとする。
【００９２】
図１２は、本発明の第３の実施形態に従うドラム洗濯機のドアを示す断面図であり、図１３は、本発明の第３の実施形態に従う前方ドアフレームのための射出金型の内部を示す平面図である。
【００９３】
ちなみに、第１の実施形態の構成と同一の構成要素には同一の参照筒号を付し、その詳細な説明は省略される。
【００９４】
本発明の第３の実施形態に従うドラム洗濯機のドアは、図１２及び図１３に示すように、ドアフレーム７０の前面に一体に射出形成され、金属材質でメッキされるヘアーライン部１２０を備える以外は、第１の実施形態と同様に構成される。
【００９５】
ヘアーライン部１２０は、前方ドアフレーム７２の前面に多重リング形状に形成されたヘアーラインＨからなり、前方ドアフレーム７２の射出成形の際に、前方ドアフレーム７２の前面に同時に一体形成される。
【００９６】
すなわち、前方ドアフレーム７２の射出金型１２４には、図１３に示すように、前方ドアフレーム７２の前面を形成するキャビティ(cavity)１２４ａにヘアーラインＨ'が形成され、射出金型１２４を使って前方ドアフレーム７２が射出成形されるため、前方ドアフレーム７２の前面にも射出金型１２４のヘアーラインＨ'と対応する形状にヘアーラインＨが形成される。
【００９７】
続いて、ヘアーラインＨの形成された前方ドアフレーム７２の表面は、クロムでメッキされる。
【００９８】
上記のように構成された本発明の第３の実施形態に従うドラム洗濯機のヘアーラインを持つドアの製造方法について説明すると、下記の通りである。
【００９９】
図１４は、本発明の第３の実施形態に従うドラム洗濯機のヘアーラインを持つドアの製造方法を示すブロック図である。
【０１００】
まず、質感形成段階では、前方ドアフレーム７２の前面にヘアーラインＨが形成されるように、前方ドアフレーム７２の射出金型１２４にヘアーラインＨ’を形成する(Ｓ１１、Ｓ１２)。
【０１０１】
すなわち、ドアフレーム７２の射出金型１２４のキャビティ１２４ａには、エッチング処理によって複数個のヘアーラインＨ’が形成される。このように射出金型１２４のキャビティ１２４ａにヘアーラインＨ’を形成するためのエッチング処理としては、主としてフォトエッチング(photo etching)技術が使用される。
【０１０２】
射出段階では、上記の質感形成段階でヘアーラインＨ’が形成された射出金型１２４を使って、前方ドアフレーム７２を射出成形する(Ｓ１３)。
【０１０３】
したがって、前方ドアフレーム７２は、前面にヘアーラインＨが一体成形された状態で、射出金型１２４から取り出されることになる。ドアフレーム７０の鋳物材料には、射出特性に優れているだけでなく、比重が低いながらも一定水準の強度を持つプラスチック材料が使用される。
【０１０４】
メッキ段階では、上記の射出段階で射出成形された前方ドアフレーム７２の外面に対して、より高級な感じを与えるべく、金属材質でメッキが遂行される(Ｓ１４、Ｓ１５)。
【０１０５】
このメッキ材料には、美感と耐摩耗性などに優れたクロム(Cr)が広く使用される。したがって、前方ドアフレーム７２は、前面に形成されたクロムメッキ層１２２によって金属性光沢を帯びるようになり、結果として合成樹脂材の表面に比べて高級な材質感を与えることが可能になる。
【０１０６】
要するに、ドアフレーム７０の前面にヘアーラインが形成されるとともに、ヘアーラインの外面にクロムがメッキされるため、ドラム洗濯機のドア６０はより高級な外観が得られる。
【０１０７】
その後に、このように製造されたドアフレーム７２の中央穴７０ａに、ドアガラス９０を組み立てることで、ドア６０が完成する(Ｓ１６)。
【０１０８】
図１５（ａ）、（ｂ）は、本発明の第４の実施形態に従うドラム洗濯機のドアを示す断面図である。
ここでも、第１の実施形態の構成と同一の構成要素には同一の参照筒号を付し、その詳細な説明は省略される。
【０１０９】
本発明の第４の実施形態に従うドラム洗濯機のドアは、図１５（ａ）、（ｂ）に示すように、ドアフレーム７０の前面を直接スクラッチング(scratching)処理することによって、ドアフレーム７０の表面に形成された多重リング形状のヘアーラインＨからなるヘアーライン部１３０を備える以外は、第１の実施形態と同様に構成される。
【０１１０】
ヘアーライン部１３０は、前方ドアフレーム７２の前面にスクラッチング処理によって形成されたリング形状のヘアーラインＨからなるものであり、前方ドアフレーム７２の前面は、クロムでメッキされてクロムメッキ層１３２が形成されており、このクロムメッキ層１３２にスクラッチング処理によって多重リング形状のヘアーラインＨが形成される。
【０１１１】
一方、前方ドアフレーム７２の前面にヘアーラインＨがスクラッチング処理によって形成された後に、前方ドアフレーム７２の前面にはヘアーラインＨを保護するための保護被膜１３６がコーティングされる。
【０１１２】
保護被膜１３６は、ヘアーラインＨが見えるような透明材質からなり、使用者の好み及び流行によって保護被膜１３６の色と光沢は調節可能である。
【０１１３】
上記のように構成された本発明の第４の実施形態に従うドラム洗濯機のヘアーラインを持つドアの製造方法について説明すると、下記の通りである。
【０１１４】
図１６は、本発明の第４の実施形態に従うドラム洗濯機のヘアーラインを持つドアの製造方法を示すブロック図である。
【０１１５】
まず、メッキ段階で、プラスチック材質から射出成形されたドアフレーム７０を、金属性材料でメッキすることによって、ドア６０の質感を高める(Ｓ２１、Ｓ２２)。
【０１１６】
すなわち、ドア６０は、ドアフレーム７０のプラスチックの質感から美観が低下するのを防止するために、ドアフレーム７０の前方ドアフレーム７２を金属材質でメッキする。このメッキ材料には、消費者に高級な質感を与えるとともに、耐摩耗性に優れたクロム(Cr)が主として使用される。
【０１１７】
質感形成段階では、上記メッキ段階でメッキされた前方ドアフレーム７２の前面を、スクラッチング処理することによって、前方ドアフレーム７２の前面を高級な質感とする(Ｓ２３、Ｓ２４)。
【０１１８】
すなわち、前方ドアフレーム７２を回転型ジグ(図示せず)に設置した後に、スクラッチング加工用工具を、前方ドアフレーム７２の前面に密着した状態で、回転型ジグと工具のいずれかを回転させると、前方ドアフレーム７２のクロムメッキ層１３２が工具によってスクラッチングされながら、リング形状のヘアーラインＨが形成される。
【０１１９】
上記のように加工されたヘアーラインＨによってドア６０の前面外観は高級な質感を有することになり、結果としてドラム洗濯機の商品性が向上する。
【０１２０】
コーティング段階では、上記の質感形成段階でスクラッチング処理された前方ドアフレーム７２の前面に、ヘアーライン部１３０のエッチング及び破損が防止されるように保護被膜１３６をコーティングする(Ｓ２５)。
【０１２１】
ここで、前方ドアフレーム７２のメッキに使用されるクロムは、材質感及び硬度などには優れているが、プラスチックの表面に対する付着性に劣るという問題点を有し、この問題を解消すべく、まず前方ドアフレーム７２の表面に銅をメッキした後に、この銅メッキ層１３４にクロムをメッキする。
【０１２２】
すなわち、前方ドアフレーム７２のプラスチック材質に相対的にうまくメッキされる銅をまずメッキし、前方ドアフレーム７２の外面に銅メッキ層１３４を形成した後に、この銅メッキ層１３４の表面にクロムをメッキして、クロムメッキ層１３２を形成する。
【０１２３】
ところで、上記の質感形成段階でヘアーラインを形成するためにスクラッチング加工をすると、クロムメッキ層１３２が剥がれ落ちながら一部の銅メッキ層１３４が外部に露出される。銅は、クロムと違い、腐食が起こりやすいため、スクラッチングにより外部に露出された銅メッキ層１３４もまた腐食し、かえってドア６０の外観を損する原因となる。
【０１２４】
そこで、ドアフレーム７０の腐食現象を防止すべく、ヘアーラインＨの形成された前方ドアフレーム７２の前面に、耐蝕性保護被膜１３６を被覆する。
【０１２５】
また、保護被膜１３６は、スクラッチング加工により形成されたヘアーラインＨが、外部衝撃から崩れたり損傷したりする現象を防止するほか、鋭くスクラッチングされたヘアーラインＨに使用者が傷つくことも防止する役割を担う。
【０１２６】
一方、保護被膜１３６は、透明材質からなり、クロムメッキ及びヘアーラインＨの形成によるドア６０の高級な感じを消費者にそのまま伝える。
【０１２７】
また、保護被膜１３６は、材料及びコーティング方法によって色及び光沢の調節が可能であるため、必要に応じて、ドアフレーム７０の前面に対して適宜の質感を与えることができる。
【図面の簡単な説明】
【０１２８】
【図１】図１は、従来の技術によるドラム洗濯機を示す斜視図である。
【図２】図２は、従来の技術によるドラム洗濯機を示す側断面図である。
【図３】図３は、図２のＡ−Ａ線に沿った断面図である。
【図４】図４の（ａ）、（ｂ）は、本発明の第１の実施形態に従うドラム洗濯機のドアを示す断面図である。
【図５】図５は、本発明の第１の実施形態に従うドラム洗濯機のドアを示す斜視図である。
【図６】図６の（ａ）、（ｂ）、（ｃ）は、本発明の第１の実施形態に従うドラム洗濯機のドアを示す分解斜視図である。
【図７】図７は、本発明の第１の実施形態に従う、ドラム洗濯機のドアに使用されるヘアーラインシートの製造方法を示すブロック図である。
【図８】図８の（ａ）、（ｂ）、（ｃ）、（ｄ）は、本発明の第１の実施形態に従う、ドラム洗濯機のドアに使用されるヘアーラインシートの製造方法を図式的に示す図である。
【図９】図９の（ａ）、（ｂ）は、本発明の第２の実施形態に従うドラム洗濯機のドアの要部を示す断面図である。
【図１０】図１０の（ａ）、（ｂ）は、本発明の第２の実施形態に従うドラム洗濯機のドアの一部を切り取った分解斜視図である。
【図１１Ａ】図１１Ａは、本発明の第２の実施形態に従うヘアーラインシートが折り曲げられる前の状態を示す平面図である。
【図１１Ｂ】図１１Ｂは、本発明の第２の実施形態に従うヘアーラインシートが分解されたドアの上面を示す平面図である。
【図１２】図１２の（ａ）、（ｂ）は、本発明の第３の実施形態に従うドラム洗濯機のドアを示す断面図である。
【図１３】図１３は、本発明の第３の実施形態に従う前方ドアフレームのための射出金型の内部を示す平面図である。
【図１４】図１４は、本発明の第３の実施形態に従う、ドラム洗濯機のヘアーラインを持つドアの製造方法を示すブロック図である。
【図１５】図１５の（ａ）、（ｂ）は、本発明の第４の実施形態に従うドラム洗濯機のドアを示す断面図である。
【図１６】図１６は、本発明の第４の実施形態に従う、ドラム洗濯機のヘアーラインを持つドアの製造方法を示すブロック図である。
【符号の説明】
【０１２９】
６０    ドア
６２    キャビネットカバー
６４    洗濯物出入口
７０    ドアフレーム
７２    前方ドアフレーム
７４    後方ドアフレーム
８０    ドアヒンジ
９０    ドアガラス
９２    装着溝
９４    接着部材または両面テープ
１００、１１０、１２０、１３０    ヘアーラインシート
１００ａ    ヘアーラインシートピース
１０２    ステンレス鋼板
１１２    締付け部材
１１４    係止突起
１１６    係合穴
１２２    クロムメッキ層
１２４    ドアフレームの射出金型
１２４ａ    キャビティ
１３２    クロムメッキ層
１３４    銅メッキ層
１３６    保護被膜
Ｈ    ドアに形成されたヘアーライン
Ｈ'    射出金型に形成されたヘアーライン
【図１】
2005193029.tif 000003
【図２】
2005193029.tif 000004
【図３】
2005193029.tif 000005
【図４】
2005193029.tif 000006
【図５】
2005193029.tif 000007
【図６】
2005193029.tif 000008
【図７】
2005193029.tif 000009
【図８】
2005193029.tif 000010
【図９】
2005193029.tif 000011
【図１０】
2005193029.tif 000012
【図１１Ａ】
2005193029.tif 000013
【図１１Ｂ】
2005193029.tif 000014
【図１２】
2005193029.tif 000015
【図１３】
2005193029.tif 000016
【図１４】
2005193029.tif 000017
【図１５】
2005193029.tif 000018
【図１６】
2005193029.tif 000019